(57)【要約】      （修正有）【課題】落下衝撃で破袋しないエアー抜け装置付米袋を提供する。【解決手段】袋本体１の周辺の一辺又は複数辺に沿って外側エアー抜け通路６と内側エアー抜け通路９を形成し、かつこのエアー抜け通路６、９にかかるように折りぐせ１ａ´、１ｂ´を形成して成る米袋において、外側エアー抜け通路６及び内側エアー抜け通路９を各辺においてその中間部分に位置させて形成する。このように、袋本体１の中間部分にエアー抜け通路６、９を形成することにより、落下衝撃を受けても、エアー抜け通路６、９部分から破袋しない。【選択図】図２
0003135795.tif 000002
【実用新案登録請求の範囲】
【請求項１】
袋本体の周辺の一辺であって、この一辺に沿って外側には広い間隔で未シール部分を間欠的に形成しながら外側ヒートシールを行って外側エアー抜け通路を形成し、この外側ヒートシール部分の内側には、前記外側エアー抜け通路に対向する部分において、米粒が抜け出ない間隔となるようにポイントシールを間欠的に行うことにより、内側エアー抜け通路を形成しながら内側ヒートシールを行って成る米袋において、前記外側エアー抜け通路及び内側エアー抜け通路は、米袋の一辺又は各辺において、その中間部分に形成し、その上で内側及び外側エアー抜け通路部分に、これを横断するように、一定の間隔で凹凸状の押しぐせを形成して成る米袋のエアー抜け装置。
【請求項２】
押しぐせを製袋前の表フィルムと裏フィルムにあらかじめ形成した後に外側ヒートシールを形成して成る請求項１記載の米袋のエアー抜け装置。
【請求項３】
押しぐせを外側ヒートシールと内側ヒートシールを行った後に形成して成る請求項１又は２記載の米袋のエアー抜け装置。
【請求項４】
内側ヒートシールと押しぐせのみから成る請求項１記載の米袋のエアー抜け装置。
【請求項５】
押しぐせを表フィルム又は裏フィルムの一方にのみ形成して成る請求項１記載の米袋のエアー抜け装置。
【考案の詳細な説明】
【技術分野】
【０００１】
本考案は、米を充填して密封した後に袋内からエアーを抜き出すことができるように形成した（ヒートシールした）所謂無孔タイプの米袋において、米を充填した後での破袋を防止することができるエアー抜け装置に関するものである。
【背景技術】
【０００２】
精米した米をプラスチックフィルム製の米袋に充填した場合、これをそのままヒートシールして密封してしまうと、袋内に残留したエアーが影響して所謂パンパンに張った状態になることから、袋の一部にエアー抜け孔を形成したものが公知である。しかし、このエアー抜け孔を形成した米袋の場合、このエアー抜け孔から虫や水が侵入する。
【０００３】
そこで、本特許出願人は、このような欠点を改善するために、米袋を製袋する際に、米袋本体の一辺に沿ってヒートシールを外と内の二条に形成し、外側のヒートシールはエアーが抜け易いように広い間隔で未シール部分を形成し、内側のヒートシールは、前記広い未シール部分と対向する位置にポイントシールを行うことにより、エアーは抜けるが米粒が出ないように工夫した所謂無孔タイプの米袋を特許第３７４３６７９号として提案している。
【０００４】
また、この特許発明を更に改良したものとして、図４に示すように、袋本体１のサイドシール２、２ａに沿って外側には広い間隔で未シール部分を形成しながら外側ヒートシール５を行って外側エアー抜け通路６を形成し、この外側ヒートシール５部分の内側に前記外側エアー抜け通路６に対向する部分において、米粒１０が抜け出ない間隔となるようにポイントシールを行うことにより、内側エアー抜け通路９を形成するようにして内側ヒートシール７を行って成る米袋において、製袋前に、この米袋を形成する表フィルムと裏フィルムの双方に、前記外側ヒートシール５部分と内側ヒートシール７部分とを横断するように、そして表と裏で互いに反対方向を向くように、一定の間隔で凸状と凹状の押しぐせを連続的に形成し、その上で前記外側ヒートシール５と内側ヒートシール７を行った米袋のエアー抜け装置を提案している。図４において、３は米の充填口、３ａは底シールである。
【考案の開示】
【考案が解決しようとする課題】
【０００５】
しかし、この米袋１の場合、米を充填したのち、重ね置きしたり、あるいは何らかの原因で落下したような時であって、特に４ｋｇ以上のものの場合、米袋１のコーナー付近であって、エアー抜け装置に近い部分に衝撃が集中して、図４に示すように、プラスチックフィルムが耐えられる力を超え、米袋１が破袋し、米粒１０が外にこぼれ出るという欠点がある。
本考案は、このような欠点を改善した米袋におけるエアー抜け装置を提供するのが目的である。
【課題を解決するための手段】
【０００６】
上記目的を達成するため、請求項１に記載の考案においては、米袋のエアー抜け装置において、袋本体の周辺の一辺であって、この一辺に沿って外側には広い間隔で未シール部分を間欠的に形成しながら外側ヒートシールを行って外側エアー抜け通路を形成し、この外側ヒートシール部分の内側には、前記外側エアー抜け通路に対向する部分において、米粒が抜け出ない間隔となるようにポイントシールを間欠的に行うことにより、内側エアー抜け通路を形成しながら内側ヒートシールを行って成る米袋において、前記外側エアー抜け通路及び内側エアー抜け通路は、米袋の一辺又は各辺において、その中間部分に形成し、その上で内側及び外側エアー抜け通路部分に、これを横断するように、一定の間隔で凹凸状の押しぐせを形成して成ることを特徴とするものである。
【０００７】
更に、請求項２に記載の考案においては、請求項１記載の米袋のエアー抜け装置において、押しぐせを製袋前の表フィルムと裏フィルムにあらかじめ形成した後に外側ヒートシールを形成して成ることを特徴とするものである。
【０００８】
更に、請求項３に記載の考案においては、請求項１又は２記載の米袋のエアー抜け装置において、押しぐせを外側ヒートシールと内側ヒートシールを行った後に形成して成ることを特徴とするものである。
【０００９】
更に、請求項４に記載の考案においては、請求項１記載の米袋のエアー抜け装置において、内側ヒートシールと押しぐせのみから成ることを特徴とするものである。
【００１０】
更に、請求項５に記載の考案においては、請求項１記載の米袋のエアー抜け装置において、押しぐせを表フィルム又は裏フィルムの一方にのみ形成して成ることを特徴とするものである。
【考案の効果】
【００１１】
本考案に係るエアー抜け装置は、米袋において周辺の一辺又は複数辺において、その中間部分にエアー抜け装置を形成し、袋のコーナーに近い部分には形成しないことにより、落下時の衝撃で破袋しない効果がある。
【実施例】
【００１２】
図１（Ａ）及び（Ｂ）は、本考案に係る米袋のエアー抜け装置の説明図、図２（Ａ）〜（Ｃ）は、エアー抜け装置とこのエアー抜けの説明図である。
図１（Ａ）は米袋１の対向する左右二辺の中間部分に、エアー抜け装置４を形成した例であって、この米袋１の場合、エアー抜け装置４は、底シール３ａが行われた後に形成されている。一方、（Ｂ）はサイドシール２、２ａが行われる前にエアー抜け装置４を形成した例であるが、この順序及びエアー抜け装置４を形成する辺及びその数は自由に決定することができる。
【００１３】
次に、エアー抜け装置４の詳細な構成とエアー抜けを図２（Ａ）〜（Ｃ）に基づいて説明する。エアー抜け装置４は、外側に一定の間隔で外側エアー抜け通路６を形成しながら外側ヒートシール５を行い、この内側には、前記外側エアー抜け通路６に対向する位置において、米粒１０が抜け出ない範囲の間隔となるようにポイントシール８を行って内側エアー抜け通路９を形成するように内側ヒートシール７を行った構造である。また、この外側ヒートシール５と内側ヒートシール７を横断するように、図２（Ｂ）、（Ｃ）に示すように、袋の表フィルム１ａと裏フィルム１ｂには、交互に、そして位置をずらして凹凸状の押しぐせ１ａ´と１ｂ´がつけてある。なお、この押しぐせ１ａ´と１ｂ´の数は、内側エアー抜け通路９に少なくとも一条かかれば良いが、出来れば二条以上かかるようにするとエアーの抜けも良く、好ましい。
【００１４】
図３は、本考案に係る米袋１において、落下衝撃を受けた例であるが、米袋１は、そのコーナー部分において変形はするも、エアー抜け装置４がこのコーナー部分に位置していないため、前記した図４のようにエアー抜け装置４部分（コーナー部分）において破袋することはない。
【図面の簡単な説明】
【００１５】
【図１】本考案に係るエアー抜け装置を実施した米袋であって、（Ａ）はサイドシール部分の中央にエアー抜け装置を形成した例、（Ｂ）は底シール部分に形成した例の説明図
【図２】エアー抜け装置であって、（Ａ）は拡大平面図、（Ｂ）はエアーが抜けている状態の説明図、（Ｃ）はＡ−Ａ´線断面図
【図３】本考案に係るエアー抜け装置付米袋の落下試験の説明図
【図４】従来のエアー抜け装置付米袋において、落下衝撃で破袋した状態の説明図
【符号の説明】
【００１６】
１  米袋
１ａ   表フィルム
１ｂ   裏フィルム
１ａ´、１ｂ´   押しぐせ
２、２ａ   サイドシール
３   充填口
３ａ  底シール
４   エアー抜け装置
５   外側ヒートシール
６   外側エアー抜け通路
７   内側ヒートシール
８   ポイントシール
９   内側エアー抜け通路
１０ 米粒
【図１】
0003135795.tif 000003
【図２】
0003135795.tif 000004
【図３】
0003135795.tif 000005
【図４】
0003135795.tif 000006